(57)【特許請求の範囲】
【請求項１】
中空構造を有するゴルフクラブヘッドであって、
打球面を形成するフェース部と、
前記フェース部の反対側の後部を形成するバック部と、
外面に、前記フェース部側になるほどヒール側に近づくように前記打球面に対して傾斜する方向に延びる第１の部分を有する第１の段差部と、前記フェース部側になるほどトウ側に近づくように前記打球面に対して傾斜する方向に延びると共に前記第１の部分よりもトウ側に位置する第２の部分を有する第２の段差部とが設けられ、内面に、前記第１の段差部の前記第１の部分を横切る第１のリブと、前記第２の段差部の前記第２の部分を横切る第２のリブと、当該第１のリブ及び当該第２のリブを結ぶ第３のリブとが設けられ、底面を形成するソール部と、
を備え、該第３のリブは、前記打球面に略平行な方向に延びるゴルフクラブヘッド。
【請求項２】
前記第３のリブは、前記打球面から所定間隔を空けて設けられる請求項１記載のゴルフクラブヘッド。
【請求項３】
前記第３のリブは、外面に設けられた段差部を横切らない請求項１又は２記載のゴルフクラブヘッド。
【請求項４】
前記第３のリブは、前記第１のリブの前記フェース部側端部と前記第２のリブの前記フェース部側端部とを結ぶ請求項１ないし３いずれか記載のゴルフクラブヘッド。
【請求項５】
前記ソール部は、内面に、前記第１のリブの前記フェース部側端部を起点として当該フェース部側に延びる第４のリブ及び／又は前記第２のリブの前記フェース部側端部を起点として当該フェース部側に延びる第５のリブとが更に設けられている請求項４記載のゴルフクラブヘッド。
【請求項６】
前記第４のリブ及び／又は前記第５のリブは、前記打球面のトウ−ヒール方向中央から離れる方向に延びる請求項５記載のゴルフクラブヘッド。
【請求項７】
前記第４のリブ及び／又は前記第５のリブは、前記第１のリブ及び／又は前記第２のリブよりも低い高さで形成されている請求項５又は６記載のゴルフクラブヘッド。
【請求項８】
前記第１のリブ及び／又は前記第２のリブは、前記第１の部分又は前記第２の部分と略直交するように横切る請求項１ないし７記載のゴルフクラブヘッド。
【請求項９】
中空構造を有するゴルフクラブヘッドであって、
打球面を形成するフェース部と、
前記フェース部の反対側の後部を形成するバック部と、
外面に、前記バック部側になるほどヒール側に近づくように前記打球面に対して傾斜する方向に延びる第１の部分を有する第１の段差部と、前記バック部側になるほどトウ側に近づくように前記打球面に対して傾斜する方向に延びると共に前記第１の部分よりもトウ側に位置する第２の部分を有する第２の段差部とが設けられ、内面に、前記第１の段差部の前記第１の部分を横切る第１のリブと、前記第２の段差部の前記第２の部分を横切る第２のリブと、当該第１のリブ及び当該第２のリブを結ぶ第３のリブとが設けられ、底面を形成するソール部と、
を備え、該第３のリブは、前記打球面に略平行な方向に延びるゴルフクラブヘッド。
【発明の詳細な説明】
【技術分野】
【０００１】
本発明は、ゴルフクラブヘッドに関し、詳しくは、中空構造を有するゴルフクラブヘッドに関する。
【背景技術】
【０００２】
従来より、こうした中空構造を有するゴルフクラブヘッドでは、打球音をより好ましいもの（高音）とするために、ソール等の内面にリブを設けたものが知られている。こうしたリブは、例えば、有限要素法等のシミュレーションによってヘッドの固有モードを解析し、解析した振動の腹の部分にリブを設けて振幅を抑えることによって、より好ましい打球音の実現を図っている（例えば、特許文献１参照）。
【先行技術文献】
【特許文献】
【０００３】
【特許文献１】特開２０１１−１３６１１０号公報
【発明の概要】
【発明が解決しようとする課題】
【０００４】
しかしながら、こうしたシミュレーションによるリブの設計では、ソールの外面に形成される溝や傾斜、凹み等の段差の存在を考慮してシミュレーションを行うのが困難であるため、ソールの外面が平坦であることを前提として固有モードの解析等が行われる。従って、シミュレーションの結果に基づいてリブを設計しても、ソールの外面に形成される段差の存在によって実際の打球音が意図したものと異なってしまうことがある。
【０００５】
本発明の実施形態は、ソールの外面に形成される段差を考慮してより好ましい打球音を実現することを目的の一つとする。本発明の実施形態の他の目的は、本明細書全体を参照することにより明らかとなる。
【課題を解決するための手段】
【０００６】
本発明の一実施形態に係るゴルフクラブヘッドは、中空構造を有するゴルフクラブヘッドであって、打球面を形成するフェース部と、前記フェース部の反対側の後部を形成するバック部と、外面に、前記フェース部側になるほどヒール側に近づくように前記打球面に対して傾斜する方向に延びる第１の部分を有する第１の段差部と、前記フェース部側になるほどトウ側に近づくように前記打球面に対して傾斜する方向に延びると共に前記第１の部分よりもトウ側に位置する第２の部分を有する第２の段差部とが設けられ、内面に、前記第１の段差部の前記第１の部分を横切る第１のリブと、前記第２の段差部の前記第２の部分を横切る第２のリブと、当該第１のリブ及び当該第２のリブを結ぶ第３のリブとが設けられ、底面を形成するソール部と、を備える。ここで「段差部」には、ソール部の外面に設けられる「傾斜」，「溝」及び「凹み」等が含まれ得る。
【０００７】
本発明の他の実施形態に係るゴルフクラブヘッドは、中空構造を有するゴルフクラブヘッドであって、打球面を形成するフェース部と、前記フェース部の反対側の後部を形成するバック部と、外面に、前記バック部側になるほどヒール側に近づくように前記打球面に対して傾斜する方向に延びる第１の部分を有する第１の段差部と、前記バック部側になるほどトウ側に近づくように前記打球面に対して傾斜する方向に延びると共に前記第１の部分よりもトウ側に位置する第２の部分を有する第２の段差部とが設けられ、内面に、前記第１の段差部の前記第１の部分を横切る第１のリブと、前記第２の段差部の前記第２の部分を横切る第２のリブと、当該第１のリブ及び当該第２のリブを結ぶ第３のリブとが設けられ、底面を形成するソール部と、を備える。
【発明の効果】
【０００８】
本発明の様々な実施形態によって、ソールの外面に形成される段差を考慮してより好ましい打球音を実現することができる。
【図面の簡単な説明】
【０００９】
【図１】一実施形態に係るゴルフクラブヘッド１００を備えたゴルフクラブ１０の構成図。
【図２】ゴルフクラブヘッド１００の上面図。
【図３】ゴルフクラブヘッド１００の底面図。
【図４】ゴルフクラブヘッド１００のソール部１４０の内面に形成されたリブの斜視図。
【図５】他の実施形態に係るゴルフクラブヘッド５００の底面図。
【発明を実施するための形態】
【００１０】
以下、様々な実施形態を適宜図面を参照して説明する。なお、図面における共通する構成要素には同一の参照符号が付されている。
【００１１】
図１は、本発明の一実施形態に係るゴルフクラブヘッド１００を備えたゴルフクラブ１０の構成を示す構成図である。図１に示すように、ゴルフクラブ１０は、天然ゴム又は合成ゴム等によって形成されたグリップＧと、このグリップＧに結合し繊維強化樹脂又は金属材料で管状に形成されたシャフトＳと、このシャフトＳにホーゼルＨＺを介して結合した一実施形態に係るゴルフクラブヘッド（以下、単に「ヘッド」と言うことがある。）１００とを備える。
【００１２】
図２は一実施形態におけるヘッド１００の上面図であり、図３はヘッド１００の底面図である。ヘッド１００は、ステンレス、チタン、チタン合金等の金属材料によって外殻が形成された中空構造を有し、図２に示すように、ヘッド１００の上面を形成するクラウン部１１０と、打球面を形成するフェース部１２０と、トウ側サイド部１３０と、ヒール側サイド部１３５と、底面を形成するソール部１４０と、フェース部１２０の反対側の後部を形成するバック部１５０と、ホーゼルＨＺを介してシャフトＳと接続される筒状に形成されたホーゼル支持部２０とを有する。
【００１３】
一実施形態におけるヘッド１００のソール部１４０は、図３に示すように、その外面（底面）に、傾斜部２１０と、この傾斜部２１０よりもトウ側に位置する溝部２２０とが設けられている。傾斜部２１０は、ヒール側サイド部１３５のバック部１５０側からフェース部１２０側へと湾曲して延び、ソール部１４０の外面中央付近のバック部１５０側に湾曲の頂点を有する。この湾曲の頂点からヒール側サイド部１３５のフェース部１２０側へと延びる部分は、フェース部１２０側になるほどヒール側サイド部１３５に近づくように打球面に対して傾斜する方向に延びている。なお、ソール部１４０の外面において、この傾斜部２１０よりもヒール側の領域は凹んでおり、これにより、スイング時の良好な気流（空気抵抗の低減）が図られている。溝部２２０は、図３に示すように、バック部１５０のトウ側サイド部１３０側からソール部１４０の外面中央方向に延び、その後、フェース部１２０側になるほどトウ側サイド部１３０に近づくように打球面に対して傾斜する方向に延びながら３つの溝に分岐し、分岐した３つの溝がトウ側サイド部１３０の異なる位置に達している。こうした溝部２２０によって、フェース部１２０の反発力の向上が図られている。なお、こうした傾斜部２１０や溝部２２０の形状，位置は例示であって、段差部としての傾斜部２１０や溝部２２０の形状，位置はこれらに限定されない。例えば、傾斜部と溝部の位置は逆であっても良いし、両方を傾斜部として形成しても良いし、両方を溝部として形成しても良いし、両方又は一方を凹部として形成しても良い。
【００１４】
図３において点線で示すように、ソール部１４０の内面には、傾斜部２１０のフェース部１２０側の部分（フェース部１２０側になるほどヒール側サイド部１３５に近づくように打球面に対して傾斜する方向に延びる部分）を略直交するように横切るリブ３１０と、溝部２２０のフェース部１２０側の部分（フェース部１２０側になるほどトウ側サイド部１３０に近づくように打球面に対して傾斜する方向に延びる部分）を略直交するように横切るリブ３２０と、リブ３１０のフェース部１２０側端部とリブ３２０のフェース部１２０側端部とを結び打球面に略平行な方向に延びるリブ３３０と、リブ３１０のフェース部１２０側端部を起点としてフェース部１２０側に打球面のトウ−ヒール方向中央から離れる方向（ヒール方向）に延びるリブ３４０と、リブ３２０のフェース部１２０側端部を起点としてフェース部１２０側に打球面のトウ−ヒール方向中央から離れる方向（トウ方向）に延びるリブ３５０とが設けられている。これらのリブ３１０−３５０は、ヘッド１００の外殻と同じ材料を用いて形成することができる。リブ３３０、３４０及び３５０は、傾斜部２１０や溝部２２０のようなソール部１４０の外面に設けられた段差部を横切らないように設けられている。図３の例では、リブ３２０は、溝２２０の分岐する３つの溝の全てを横切るように設けられているが、３つの溝のうちフェース部１２０側に位置する２つの溝を横切るようにしても良いし、最もフェース部１２０側に位置する１つの溝のみを横切るようにしても良い。
【００１５】
ここで、一実施形態において、リブ３１０とリブ３２０とを結ぶリブ３３０は、打球面から特定の間隔（例えば、４０ｍｍ）を空けて設けられている。また、リブ３１０及びリブ３２０それぞれのフェース部１２０側端部を起点として延びるリブ３４０及び３５０は、打球面から特定の距離（例えば、１５ｍｍ）が離れた部分まで延び、フェース部１２０には達しないように設けられている。このように、フェース部１２０（打球面）付近の所定範囲の領域を避けてリブを設けることにより、フェイス部１２０の反発力の低下を防止している。
【００１６】
また、一実施形態において、リブ３４０及び３５０は、リブ３１０、３２０及び３３０よりも低い高さで形成されている（図４を参照）。例えば、リブ３１０、３２０及び３３０は高さ４.０ｍｍで形成され、リブ３４０及び３５０は高さ２．５ｍｍで形成される。これにより、ヘッド１００の重心が浅くなる（重心がフェース部１２０側に近づく）のを防止している。
【００１７】
こうして構成されたヘッド１００は、打球時に傾斜部２１０や溝部２２０付近に現れる振動モードの腹は、リブ３１０及びリブ３２０によって抑えられる。また、リブ３１０及びリブ３２０をリブ３３０によって結ぶから、リブ３１０とリブ３２０との間の領域付近に現れる振動モードの腹は、リブ３３０によって抑えられる。この結果、振動の振幅を抑制してヘッド１００における打球音の低音化を抑制することができる。さらに、リブ３１０及びリブ３２０それぞれのフェース部１２０側端部を起点としてフェース部１２０側に延びるリブ３４０及び３５０が設けられているから、より広範囲に振動の振幅を抑える事ができる。また、リブ３４０及びリブ３５０は、打球面のトウ−ヒール方向中央から離れる方向に延びるから、トウ−ヒール方向中央に近づく方向に延びる場合と比較して、ヘッド１００のスイートエリアを大きくすることができると共に、打球時のフェース部１２０の弾性撓みを維持することもできる。
【００１８】
以上説明したように、一実施形態に係るゴルフクラブヘッド１００では、ソール部１４０の内面に、傾斜部２１０（第１の段差部）のフェース部１２０側の部分（第１の部分）を横切るリブ３１０（第１のリブ）と、溝部２２０（第２の段差部）のフェース部１２０側の部分（第２の部分）を横切るリブ３２０（第２のリブ）と、リブ３１０及びリブ３２０を結ぶリブ３３０（第３のリブ）とが設けられている。こうした構成とすることにより、打球時に傾斜部２１０や溝部２２０付近に現れる振動モードの腹をリブ３１０及びリブ３２０によって抑えることができ、また、リブ３１０とリブ３２０との間の領域付近に現れる振動モードの腹をリブ３３０によって抑えることができる。この結果、振動の振幅を抑制してヘッド１００における打球音の高音化を図ることができる。
【００１９】
一実施形態では、ソール部１４０の内面に形成するリブとして、リブ３１０，３２０，３３０，３４０，及び３５０を例示したが、ソール部１４０の内面に形成するリブは、例示した態様に限定されない。例えば、リブ３１０のフェース部１２０側端部を起点として延びるリブ３４０や、リブ３２０のフェース部１２０側端部を起点として延びるリブ３５０は設けなくても差し支えない。また、リブ３１０やリブ３２０は、傾斜部２１０や溝部２２０を横切れば良く、略直交しなくても構わない。さらに、リブ３３０は、リブ３１０とリブ３２０とを結ぶように形成されていればよく、必ずしもこれらをフェース部１２０側端部において結ぶように形成する必要はなく、また、打球面に略平行となっていなくても構わない。
【００２０】
次に、本発明の他の実施形態に係るゴルフクラブヘッド５００について説明する。他の実施形態に係るゴルフクラブヘッド５００は、一実施形態に係るゴルフクラブヘッド１００と同様に、ヘッド５００の上面を形成するクラウン部５１０と、打球面を形成するフェース部５２０と、トウ側サイド部５３０と、ヒール側サイド部５３５と、底面を形成するソール部５４０と、フェース部５２０の反対側の後部を形成するバック部５５０と、ホーゼルＨＺを介してシャフトＳと接続される筒状に形成されたホーゼル支持部２０とを有する。
【００２１】
図５は、他の実施形態に係るヘッド５００の底面図である。他の実施形態におけるヘッド５００のソール部５４０は、図示するように、その外面（底面）に、第１の凹部６１０と、この第１の凹部６１０よりもトウ側に位置する第２の凹部６２０とが設けられている。第１の凹部６１０は、ヒール側サイド部５３５のバック部５５０側からソール部５４０の外面中央付近のフェース部５２０側へと先細りで延び、言い換えると、ソール部５４０の外面中央付近のフェース部５２０側を起点としてバック部５５０側になるほどヒール側サイド部５３５に近づくように打球面に対して傾斜する方向に延びる部分を有する。また、第２の凹部６２０は、トウ側サイド部５３０のバック部５５０側からソール部５４０の外面中央付近のフェース部５２０側へと先細りで延び、言い換えると、ソール部５４０の外面中央付近のフェース部５２０側を起点としてバック部５５０側になるほどトウ側サイド部５３０に近づくように打球面に対して傾斜する方向に延びる部分を有する。
【００２２】
図５において点線で示すように、ソール部５４０の内面には、第１の凹部６１０を略直交するように横切るリブ７１０と、第２の凹部６２０を略直交するように横切るリブ７２０と、リブ７１０のバック部５５０側端部とリブ７２０のバック部５５０側端部とを結び打球面に略平行な方向に延びるリブ７３０とが設けられている。こうして構成された他の実施形態に係るヘッド５００は、一実施形態に係るヘッド１００と同様に、打球時に第１の凹部６１０や第２の凹部６２０付近に現れる振動モードの腹は、リブ７１０及びリブ７２０によって抑えられる。また、リブ７１０及びリブ７２０をリブ７３０によって結ぶから、リブ７１０とリブ７２０との間の領域付近に現れる振動モードの腹は、リブ７３０によって抑えられる。この結果、振動の振幅を抑制してヘッド５００における打球音の低音化を抑制することができる。
【００２３】
以上説明したように、他の実施形態に係るゴルフクラブヘッド５００では、ソール部５４０の内面に、第１の凹部６１０（第１の段差部）を横切るリブ７１０（第１のリブ）と、第２の凹部６２０（第２の段差部）を横切るリブ７２０（第２のリブ）と、リブ７１０及びリブ７２０を結ぶリブ７３０（第３のリブ）とが設けられている。こうした構成とすることにより、一実施形態に係るゴルフクラブヘッド１００と同様に、打球時に第１の凹部６１０や第２の凹部６２０付近に現れる振動モードの腹をリブ７１０及びリブ７２０によって抑えることができ、また、リブ７１０とリブ７２０との間の領域付近に現れる振動モードの腹をリブ７３０によって抑えることができる。この結果、振動の振幅を抑制してヘッド５００における打球音の高音化を図ることができる。
【００２４】
他の実施形態では、ソール部５４０の内面に形成するリブとして、リブ７１０，７２０，及び７３０を例示したが、ソール部５４０の内面に形成するリブは、例示した態様に限定されない。例えば、一実施形態に係るゴルフクラブヘッド１００と同様に、リブ７１０のバック部５５０側端部を起点として延びるリブや、リブ７２０のバック部５５０側端部を起点として延びるリブを更に設けても良い。また、リブ７１０やリブ７２０は、第１の凹部６１０や第２の凹部６２０を横切れば良く、略直交しなくても構わない。さらに、リブ７３０は、リブ７１０とリブ７２０とを結ぶように形成されていればよく、必ずしもこれらをバック部５５０側端部において結ぶように形成する必要はなく、また、打球面に略平行となっていなくても構わない。
【符号の説明】
【００２５】
１００，５００  ゴルフクラブヘッド（ヘッド）
１１０，５１０  クラウン部
１２０，５２０  フェース部
１３０，５３０  トウ側サイド部
１３５，５３５  ヒール側サイド部
１４０，５４０  ソール部
１５０，５５０  バック部
２１０  傾斜部
２２０  溝部
６１０，６２０  凹部
３１０，３２０，３３０，３４０，３５０，７１０，７２０，７３０  リブ
【図１】
0006046570.tif 000002
【図２】
0006046570.tif 000003
【図３】
0006046570.tif 000004
【図４】
0006046570.tif 000005
【図５】
0006046570.tif 000006